(57)【要約】【課題】特定の被写体を含む画像に対する文字列の挿入をスムーズに行う。【解決手段】画像を取得する画像取得手段と、前記画像中から特定の被写体を認識する特定被写体認識手段と、前記画像中に位置し、かつ、文字入力ごとにシフトする文字入力位置に文字を入力する文字列入力手段と、前記文字入力ごとにその入力文字と前記特定被写体認識手段により認識された前記特定被写体とが重なるか否かを判定する判定手段と、前記判定手段により、前記文字列入力手段により入力された前記入力文字と前記特定被写体認識手段により認識された前記特定被写体とが重なると判定された場合、前記文字入力位置が前記画像中の前記特定被写体以外の領域に位置するように制御する文字入力位置制御手段と、を備えることを特徴とする。【選択図】  図４
2011024272.tif 000002
【特許請求の範囲】
【請求項１】
画像を取得する画像取得手段と、
前記画像中から特定の被写体を認識する特定被写体認識手段と、
前記画像中に位置し、かつ、文字入力ごとにシフトする文字入力位置に文字を入力する文字列入力手段と、
前記文字入力ごとにその入力文字と前記特定被写体認識手段により認識された前記特定被写体とが重なるか否かを判定する判定手段と、
前記判定手段により、前記文字列入力手段により入力された前記入力文字と前記特定被写体認識手段により認識された前記特定被写体とが重なると判定された場合、前記文字入力位置が前記画像中の前記特定被写体以外の領域に位置するように制御する文字入力位置制御手段と、
を備えることを特徴とする画像処理装置。
【請求項２】
前記文字入力位置制御手段は、前記判定手段により、前記文字列入力手段により入力された前記入力文字と前記特定被写体認識手段により認識された前記特定被写体とが重なると判定された場合、改行することを特徴とする請求項１に記載の画像処理装置。
【請求項３】
前記画像中の、前記特定被写体認識手段により認識された前記特定被写体以外の領域を分割する分割手段をさらに備えており、
前記文字列入力手段は、前記分割手段により分割された領域のうちいずれかの領域に文字を入力するものであることを特徴とする請求項１に記載の画像処理装置。
【請求項４】
前記文字入力位置制御手段は、前記文字列入力手段により入力された前記入力文字と前記特定被写体認識手段により認識された前記特定被写体とが重なると判定された場合、前記分割手段により分割された領域のうち他の領域に前記文字入力位置を移動させることを特徴とする請求項３に記載の画像処理装置。
【請求項５】
画像を取得する画像取得ステップと、
前記画像中から特定の被写体を認識する特定被写体認識ステップと、
前記画像中に位置し、かつ、文字入力ごとにシフトする文字入力位置に文字を入力する文字列入力ステップと、
前記文字入力ごとにその入力文字と前記特定被写体認識手段により認識された前記特定被写体とが重なるか否かを判定する判定ステップと、
前記判定ステップにより、前記文字列入力ステップで入力された前記入力文字と前記特定被写体認識ステップで認識された前記特定被写体とが重なると判定された場合、前記文字入力位置が前記画像中の前記特定被写体以外の領域に位置するように制御する文字入力位置制御ステップと、
を備えることを特徴とする画像処理方法。
【請求項６】
コンピューターを、
画像を取得する画像取得手段、
前記画像中から特定の被写体を認識する特定被写体認識手段、
前記画像中に位置し、かつ、文字入力ごとにシフトする文字入力位置に文字を入力する文字列入力手段、
前記文字入力ごとにその入力文字と前記特定被写体認識手段により認識された前記特定被写体とが重なるか否かを判定する判定手段、
前記判定手段により、前記文字列入力手段により入力された前記入力文字と前記特定被写体認識手段により認識された前記特定被写体とが重なると判定された場合、前記文字入力位置が前記画像中の前記特定被写体以外の領域に位置するように制御する文字入力位置制御手段、
として機能させるためのプログラム。
【発明の詳細な説明】
【技術分野】
【０００１】
本発明は、画像処理装置に係り、特に特定の被写体を含む画像に対する文字列の挿入をスムーズに行うための技術に関する。
【背景技術】
【０００２】
従来、画像の任意の場所に文字列を挿入することが行われている。例えば、特許文献１においては、人物の顔を含む画像上に住所氏名などの文字列を重ねて表示する旨が記載されている。一般に、画像に対する文字列の挿入は、予め入力しておいた文字列を画像上に移動させるか、あるいは、文字入力ごとにシフト（例えば右方向または下方向に一文字分シフト）する文字入力位置（例えばカーソル）を画像上に位置させ、キーボード等から文字入力することで行う。
【先行技術文献】
【特許文献】
【０００３】
【特許文献１】特開平１１−８５９５７号公報
【発明の概要】
【発明が解決しようとする課題】
【０００４】
しかしながら、特定の被写体（例えば画像が人物の顔等の主要被写体）を含む画像に対しては、その特定の被写体に文字列が重ならないように挿入位置や改行位置に配慮しながら文字列を挿入することになるから、文字列の挿入をスムーズに行うことが困難であるという問題がある。
【０００５】
本発明は、このような事情に鑑みてなされたものであり、本発明の課題は、特定の被写体を含む画像に対する文字列の挿入をスムーズに行うための技術を提供することにある。
【課題を解決するための手段】
【０００６】
本発明は、上記課題を解決するためになされたものであり、次の構成を採る。
【０００７】
上記課題を解決するため、請求項１に記載の発明は、画像を取得する画像取得手段と、前記画像中から特定の被写体を認識する特定被写体認識手段と、前記画像中に位置し、かつ、文字入力ごとにシフトする文字入力位置に文字を入力する文字列入力手段と、前記文字入力ごとにその入力文字と前記特定被写体認識手段により認識された前記特定被写体とが重なるか否かを判定する判定手段と、前記判定手段により、前記文字列入力手段により入力された前記入力文字と前記特定被写体認識手段により認識された前記特定被写体とが重なると判定された場合、前記文字入力位置が前記画像中の前記特定被写体以外の領域に位置するように制御する文字入力位置制御手段と、を備えることを特徴とする。
【０００８】
請求項１に記載の発明によれば、文字入力ごとにその入力文字と特定被写体とが重なるか否かが判定され、重なると判定された場合、文字入力位置が画像中の特定被写体以外の領域に位置するように制御される。すなわち、利用者は入力文字が特定被写体に重なるか否か、あるいは、改行のタイミング等を意識しなくてよいから、画像に対するスムーズな文字列挿入が可能となる。
【０００９】
請求項２に記載の発明は、請求項１に記載の発明において、前記文字入力位置制御手段は、前記判定手段により、前記文字列入力手段により入力された前記入力文字と前記特定被写体認識手段により認識された前記特定被写体とが重なると判定された場合、改行することを特徴とする。
【００１０】
請求項２に記載の発明は、文字入力位置制御の一例である。請求項２に記載の発明によれば、改行のタイミング等を意識しなくてよいから、画像に対するスムーズな文字列挿入が可能となる。その他の制御として、例えば、改行することなく、文字入力位置を他の領域（分割された領域）に位置させることも考えられる。これによっても、画像に対するスムーズな文字列挿入が可能となる。
【００１１】
請求項３に記載の発明は、請求項１に記載の発明において、前記画像中の、前記特定被写体認識手段により認識された前記特定被写体以外の領域を分割する分割手段をさらに備えており、前記文字列入力手段は、前記分割手段により分割された領域のうちいずれかの領域に文字を入力するものであることを特徴とする。
【００１２】
請求項３に記載の発明によれば、入力文字が特定被写体に重なるか否か、あるいは、改行のタイミング等を意識することなく、画像（のうち分割された領域）に対するスムーズな文字列挿入が可能となる。また、分割を容易に行うことが可能となる。なお、矩形領域に限らず、その他の形（例えば台形、円形、三角形）に分割することも考えられる。なお、分割手段は、特定の被写体を含む領域（例えば図３では領域Ｄ２）以外の領域を分割するようにしてもよいし、あるいは、特定の被写体を仕切る線（輪郭）で囲まれた領域（例えば図３では顔）以外の領域を分割するようにしてもよい。
【００１３】
請求項４に記載の発明は、請求項３に記載の発明において、前記文字入力位置制御手段は、前記文字列入力手段により入力された前記入力文字と前記特定被写体認識手段により認識された前記特定被写体とが重なると判定された場合、前記分割手段により分割された領域のうち他の領域に前記文字入力位置を移動させることを特徴とする。
【００１４】
請求項４に記載の発明によれば、入力文字が特定被写体に重なるか否か、あるいは、改行のタイミング等を意識することなく、画像（のうち分割された領域）に対するスムーズな文字列挿入が可能となる。
【００１５】
本発明は、画像処理方法の発明として、次のように特定することもできる。
【００１６】
画像を取得する画像取得ステップと、前記画像中から特定の被写体を認識する特定被写体認識ステップと、前記画像中に位置し、かつ、文字入力ごとにシフトする文字入力位置に文字を入力する文字列入力ステップと、前記文字入力ごとにその入力文字と前記特定被写体認識手段により認識された前記特定被写体とが重なるか否かを判定する判定ステップと、前記判定ステップにより、前記文字列入力ステップで入力された前記入力文字と前記特定被写体認識ステップで認識された前記特定被写体とが重なると判定された場合、前記文字入力位置が前記画像中の前記特定被写体以外の領域に位置するように制御する文字入力位置制御ステップと、を備えることを特徴とする画像処理方法。
【００１７】
本発明は、プログラムの発明として、次のように特定することもできる。
【００１８】
コンピューターを、画像を取得する画像取得手段、前記画像中から特定の被写体を認識する特定被写体認識手段、前記画像中に位置し、かつ、文字入力ごとにシフトする文字入力位置に文字を入力する文字列入力手段、前記文字入力ごとにその入力文字と前記特定被写体認識手段により認識された前記特定被写体とが重なるか否かを判定する判定手段、前記判定手段により、前記文字列入力手段により入力された前記入力文字と前記特定被写体認識手段により認識された前記特定被写体とが重なると判定された場合、前記文字入力位置が前記画像中の前記特定被写体以外の領域に位置するように制御する文字入力位置制御手段、として機能させるためのプログラム。
【発明の効果】
【００１９】
本発明によれば、特定の被写体を含む画像に対する文字列挿入をスムーズに行うことが可能となる。
【図面の簡単な説明】
【００２０】
【図１】本発明の一実施形態である画像処理装置（又は画像処理システム）を構成するコンピュータシステムの概略構成図である。
【図２】画像に対する文字列挿入処理（第１実施形態）を説明するためのフローチャートである。
【図３】非顔領域矩形抽出処理の結果を説明するための図である。
【図４】画像に対する文字列挿入処理（第２実施形態）を説明するためのフローチャートである。
【図５】画像に対する文字列挿入処理（第３実施形態）を説明するためのフローチャートである。
【発明を実施するための形態】
【００２１】
以下、本発明の一実施形態である画像処理装置（又は画像処理システム）を構成するコンピュータシステムについて図面を参照しながら説明する。
【００２２】
図１は、本発明の一実施形態である画像処理装置（又は画像処理システム）を構成するコンピュータシステムの構成を説明するための図である。
【００２３】
図１に示すように、本実施形態の画像処理装置１０（又は画像処理システム）は、一般的なパーソナルコンピュータ等の情報処理装置であって、その全体の動作を司るプロセッサ（ＣＰＵ等）１１、これにバス１２等を介して接続された、ＲＯＭ１３、ＲＡＭ１４、グラフィック制御回路１５、表示装置１６、プリンタ１７、マウス１８ａやキーボード１８ｂ等の入力装置１８、ハードディスク装置１９、記録メディア２０の読みとり装置２１等が接続されている。
【００２４】
ハードディスク装置１９には、後述する処理を実行するための各種プログラムがインストールされており、さらにＥｘｉｆによる画像ファイル等も格納されている。
【００２５】
画像処理装置１０（又は画像処理システム）においては、ハードディスク装置１９からＲＡＭ１４等に所定プログラムが読み込まれ、プロセッサ１１がその所定プログラムを実行することにより、後述のフローチャートに示す各種処理が実現される。
【００２６】
入力装置１８によって、ハードディスク装置１９または記録メディア２０に格納されているいずれかの画像ファイルの再生が指示されると、所定プログラムが実行されることにより、その画像ファイルが読み出され（本発明の画像取得手段に相当）、この画像ファイルに含まれる画像がグラフィック制御回路１５等の制御により液晶ディスプレイ等の表示装置１６に表示され、この画像に対して文字列を挿入可能な状態となる。画像に対する文字列の挿入は文字列取得手段としての入力装置１８を介して行う。この表示された画像あるいは文字列が挿入された画像は、プリンタ１７によって印刷することが可能となっている。
【００２７】
次に、上記構成の画像処理装置１０（又は画像処理システム）における画像に対する文字列挿入処理（第１実施形態）について図面を参照しながら説明する。
【００２８】
図２は、この処理を説明するためのフローチャートである。
【００２９】
以下の処理においては、挿入される文字列がキーボード１８ｂから予め入力されており、ＲＡＭ１４等に保持されているものとする。また、この予め入力された文字列の文字数およびフォントサイズは予め判明しており、したがって、その文字列の表示面積Ａも予め判明しているものとする。
【００３０】
画像処理装置１０（又は画像処理システム）においては、まず本発明の分割手段としての非顔領域矩形抽出処理が行われる（ステップＳ２）。この非顔領域矩形抽出処理は、図３に示すように、画像（画像データ）Ｄ１のうち人物の顔を含む領域Ｄ２（顔画像データ）以外の領域を矩形領域に分割する処理である。図３は、Ｄ３〜Ｄ７の合計五つに分割した例を示している。
【００３１】
非顔領域矩形抽出処理としては各種のものが考えられる。例えば、顔認識用の色データを予め保持しておき、撮影画像の全領域の色データと前記顔認識用の色データとを比較し、一致する部分を人物の顔として認識し（特開平10-334213等参照）、この人物の顔を含む領域Ｄ２以外の領域をその領域Ｄ２を囲う線の延長線（図３では点線で示す）によって矩形領域に分割することが考えられる。なお、矩形領域に限らず、その他の形（例えば台形、円形、三角形）に分割することも考えられる。
【００３２】
この分割された矩形の個数は矩形数Ｎに設定される（ステップＳ２）。例えば、図３の例では、矩形数Ｎ＝５が設定される。なお、領域Ｄ５とＤ６とＤ７の組み合わせのようにいくつかの領域を組み合わせたものを一つの領域とみることも可能であるから、組み合わせも考慮するのであれば、矩形数としてその組み合わせたものを加算したものが設定される。
【００３３】
次に、各矩形（図３ではＤ３〜Ｄ７）を面積降順でソートする処理が実行される（ステップＳ４）。なお、このステップＳ４は省略することも可能である。
【００３４】
ソートが完了すると、変数Ｋ＝１、変数Ｉ＝０を設定し（ステップＳ６）、分割された各矩形の中から文字列の挿入に適した領域を抽出する処理が実行される（ステップＳ８〜Ｓ１８）。すなわち、矩形（図３ではＤ３〜Ｄ７）ごとに、その矩形（Ｋ番目の矩形）の面積と文字列の表示面積Ａとを比較し（ステップＳ８、Ｓ１０）、文字列の表示面積Ａよりも大きい矩形が存在する場合、そのＫ番目の矩形は文字列の挿入に適した領域であると判定（ステップＳ１０：ＮＯ）する。これは本発明の判定手段に相当する。そして、そのＫ番目の矩形を指示するべくこの矩形の縁（枠）を特定色で表示する（ステップＳ１２）。あるいは矢印等の記号を表示する、あるいは音声出力する等その他の形態で指示してもよい。これは本発明の文字列挿入領域指示手段に相当する。なお、この指示は、一つまたは複数の矩形に対して行われることもあるし、全く行われないこともあり得る。
【００３５】
そして、変数Ｉには、文字列の挿入に適した領域が存在したことを表すために、変数Ｋの値が設定される（ステップＳ１４：ＮＯ、ステップＳ１６）。
【００３６】
以上の処理（ステップＳ８〜Ｓ１８）が各矩形（図３ではＤ３〜Ｄ７）について実行される（ステップＳ１８、ステップＳ８：ＮＯ）、全ての処理が完了すると（ステップＳ８：ＹＥＳ）、後処理が実行される（ステップＳ２０）。
【００３７】
後処理としては各種のものが考えられる。
【００３８】
例えば、文字列の表示面積Ａよりも大きい矩形が存在する場合（Ｉ≠０）、その矩形（そのような矩形が複数存在する場合は最大の矩形）に文字列を挿入する処理を実行することが考えられる（本発明の文字列自動挿入手段に相当）。なお、文字列が長く水平方向に収まらない場合は改行を行う。
【００３９】
このようにすれば、文字列を適切な領域に自動挿入することが可能となる。
【００４０】
あるいは、文字列の表示面積Ａよりも大きい矩形が存在しない場合（Ｉ＝０）、その旨の警告表示を行うことが考えられる。これは本発明の警告手段に相当する。
【００４１】
このようにすれば、いずれかの領域（例えば最大矩形）に適するように文字列を再編集（例えばサイズや文字数の調整）することを促すことが可能となる。
【００４２】
あるいは、文字列の表示面積Ａよりも大きい矩形が存在しない場合（Ｉ＝０）、例えば最大矩形に収まる程度にまで文字列のサイズを調整（例えばフォントの変更）し、その矩形にサイズ調整した文字列を挿入する処理を実行することが考えられる。これは本発明のサイズ調整手段に相当する。
【００４３】
このようにすれば、いずれかの領域（この例では最大矩形）に適するように文字列を自動でサイズ調整し、挿入することが可能となる。
【００４４】
以上説明したように、本実施形態の画像処理装置１０（又は画像処理システム）によれば、人物の顔以外の画像領域が分割され（ステップＳ２）、その分割された各領域（図３ではＤ３〜Ｄ７）のうち文字列の挿入に適した領域が指示される（ステップＳ１２）ことになるから、利用者は文字列の挿入に適した領域（すなわち人物の顔に重ならないで文字列挿入できる領域であって、例えば、最適サイズの領域）を瞬時に判別でき、その指示された領域に文字列を挿入することが可能となる。すなわち、利用者は文字列の挿入位置を意識しなくてよいから、人物の顔を含む画像に対するスムーズな文字列挿入が可能となる。
【００４５】
次に、上記構成の画像処理装置１０（又は画像処理システム）における画像に対する文字列挿入処理（第２実施形態）について図面を参照しながら説明する。
【００４６】
図４は、この処理を説明するためのフローチャートである。
【００４７】
以下の処理が実行される前に、上記実施形態で説明した非顔領域矩形抽出処理（ステップＳ２）が実行されこれにより、図３に示すように、画像（画像データ）Ｄ１のうち人物の顔（顔画像データ）Ｄ２以外の領域が矩形領域Ｄ３〜Ｄ７に分割されているものとする。また、キーボード１８ｂを介して文字入力ごとにシフトする文字入力位置（例えば図３に示すカーソルＫ１。いずれかの矩形領域に位置する）に文字を入力するものとする。
【００４８】
画像処理装置１０（又は画像処理システム）においては、キーボード１８ｂから終了キーの入力がない限り（ステップＳ３０：ＹＥＳ、ステップＳ３２：ＮＯ）、キーボード１８ｂから文字が入力されるごとに、その入力文字が画像範囲内か否か（ステップＳ３４〜Ｓ３８）、画像範囲内であるとしてもその入力文字が顔画像と重なっているか否か（ステップＳ３９）が判定される。
【００４９】
具体的には、キーボード１８ｂから文字が入力されるごとに、その入力文字の矩形座標が算出され（ステップＳ３４）、その垂直座標が画像の高さ以内で（ステップＳ３６：ＹＥＳ）、かつ、その水平座標が画像の幅以内（ステップＳ３８：ＹＥＳ）であれば、画像範囲内であると判定される。
【００５０】
次に、文字矩形と顔領域が重なっているか否かが判定される（ステップＳ４０）。これは、例えば、文字矩形の座標と顔領域の座標とを比較することによって判定する。その結果、文字矩形と顔領域が重なっていないと判定されると（ステップＳ４０：ＮＯ）、文字表示処理が実行される（ステップＳ４２）。すなわち、文字入力位置に入力された文字が表示される。
【００５１】
一方、文字矩形と顔領域が重なっていると判定されると（ステップＳ４０：ＹＥＳ）、矩形座標再計算、例えば改行が実行される（ステップＳ４４）。これは本発明の文字入力位置制御手段に相当する。例えば、図３に示すように、文字入力位置が当初領域Ｄ３内のＫ１位置に位置しており、その後の文字入力によって文字入力位置が右方向にシフトし、入力文字と顔領域が重なったとする。この場合、改行を実行して同じ領域Ｄ３内のＫ２位置に文字入力位置を移動させることが考えられる。あるいは、改行することなく、他の領域Ｄ４内のＫ３位置に文字入力位置を移動させることも考えられる。なお、水平座標が画像の幅内にないと判定された場合も（ステップＳ３８：ＮＯ）、同様の処理が実行される。
【００５２】
このようにすれば、改行のタイミング等を意識しなくてよいから、人物の顔を含む画像に対するスムーズな文字列挿入が可能となる。
【００５３】
なお、終了キーが入力されるか（ステップＳ３２：ＹＥＳ）、入力文字が画像の高さを超えた場合には（ステップＳ３６：ＮＯ）、文字データ確定処理が実行される（ステップＳ４６）。なお、入力文字が画像の高さを超えたということは、文字サイズあるいは文字数の超過が原因で領域におさまりきらなくなったということを意味するから、文字データ確定処理実行前に、文字列を再編集（例えばサイズや文字数の調整）あるいは文字列の入力キャンセルを促すべく、警告を行うことが考えられる。
【００５４】
以上説明したように、本実施形態の画像処理装置１０（又は画像処理システム）によれば、文字入力ごとにその入力文字と人物の顔とが重なるか否かが判定され（ステップＳ４０）、重なると判定された場合（ステップＳ４０：ＹＥＳ）、文字入力位置が画像の特定の被写体以外の領域に位置するように制御される（ステップＳ４４）。すなわち、利用者は入力文字が人物の顔に重なるか否か、あるいは、改行のタイミング等を意識しなくてよいから、人物の顔を含む画像に対するスムーズな文字列挿入が可能となる。
【００５５】
次に、上記構成の画像処理装置１０（又は画像処理システム）における画像に対する文字列挿入処理（第３実施形態）について図面を参照しながら説明する。
【００５６】
図５は、この処理を説明するためのフローチャートである。
【００５７】
以下の処理においては、挿入される文字列がＥｘｉｆ画像ファイルヘッダー部分のコメントタグに記入されているものとする。
【００５８】
画像処理装置１０（又は画像処理システム）においては、いずれかのＥｘｉｆ画像ファイルの表示が指示されると、その画像ファイルのコメントタグからコメント文字列が取得される（ステップＳ５０）。
【００５９】
次に、表示倍率の変更が指示されるごとに（または初回実行時）、Ｅｘｉｆ画像ファイルの画像をその倍率で表示する（ステップＳ５２、ステップＳ６６）。そして、ステップＳ５０でコメント文字列が取得された場合（すなわちコメントタグに文字列が記述されていた場合）には（ステップＳ５４：ＹＥＳ）さらに、その変更後の倍率で表示される画像に対して非顔領域矩形抽出処理（上記第１実施形態のステップＳ２）が実行されこれにより、図３に示すように、画像（画像データ）Ｄ１のうち人物の顔（顔画像データ）Ｄ２以外の領域が矩形領域Ｄ３〜Ｄ７に分割され（ステップ５８）、各矩形を面積降順でソートする処理が実行され（ステップＳ６０）、最大矩形領域内にステップＳ５０で取得されたコメント文字列が表示される（ステップＳ６２）。
【００６０】
以上の処理（ステップＳ５０からステップＳ６２）は表示終了指示が入力されるまで継続して実行される（ステップＳ６４）。
【００６１】
以上説明したように、本実施形態の画像処理装置１０（又は画像処理システム）によれば、画像に対する属性情報（コメント文字列）を、人物の顔以外の画像領域に表示することが可能となるから、属性情報を確認しやすいし、しかも画像に対する属性情報を表示するための専用領域が不要となるから画像を比較的大きく表示することができる。
【００６２】
なお、本実施形態の画像処理装置１０（又は画像処理システム）によれば、表示倍率の変更ごとに非顔領域矩形抽出処理（上記第１実施形態のステップＳ２）が実行されるから、その変更の都度、最大の領域が変わる可能性がある。したがって、表示倍率変更前と後では、コメント文字列が挿入される領域が同一であるとは限らない。
【００６３】
次に変形例について説明する。
【００６４】
上記各実施形態では、非顔領域矩形抽出処理（ステップＳ２）において、画像に含まれる人物の顔を認識するように説明したが、本発明はこれに限定されない。すなわち、予め人物の顔の領域を示すデータを画像ファイルとともに格納しておき、このデータに基づいて人物の顔を含む領域を定めるようにしてもよい。このようにすれば、図２、図４、図５に示す処理において顔認識処理が不要になる。
【００６５】
また、上記各実施形態では、画像が人物の顔を含む場合について説明したが、本発明はこれに限定されない。例えば、動物、建造物、車両、日用品等を含む画像に対しても同様に適用することが可能である。
【００６６】
上記実施形態はあらゆる点で単なる例示にすぎない。これらの記載によって本発明は限定的に解釈されるものではない。本発明はその精神または主要な特徴から逸脱することなく他の様々な形で実施することができる。
【符号の説明】
【００６７】
１０…画像処理装置（又は画像処理システム）、１１…プロセッサ、１６…表示装置、１８…入力装置、１９…ハードディスク装置
【図１】
2011024272.tif 000003
【図２】
2011024272.tif 000004
【図３】
2011024272.tif 000005
【図４】
2011024272.tif 000006
【図５】
2011024272.tif 000007